(57)【要約】      （修正有）【課題】制御アセンブリの表示パネルと操作ボタンの操作、又は移動端末のＡＰＰ操作による制御ができ、構造が簡単で信頼性がある同期制御電源テーブルタップを提供する。【解決手段】同期制御電源テーブルタップは、テーブルタップ本体と移動端末を含み、テーブルタップ本体は、ケーシングと、ケーシング内に取り付けられた制御アセンブリと、ケーシングに取り付けられ制御アセンブリに接続された少なくとも１セットの差込アセンブリを含み、制御アセンブリは、ケーシング内に取り付けられたＰＣＢボードと、ＰＣＢボードに取り付けられた第１無線接続モジュール及びマイクロプロセッサ、ケーシングに取り付けられＰＣＢボードに接続された表示パネルを含み、表示パネルには操作ボタンが設けられる。入力信号はマイクロプロセッサに直接送信され、マイクロプロセッサはＰＣＢボード上の継電器を制御し、継電器は、差込アセンブリの電源オフと電源供給を制御する。【選択図】図５
0003231091.tif 000002
【実用新案登録請求の範囲】
【請求項１】
同期制御電源テーブルタップであって、テーブルタップ本体と移動端末を含み、前記テーブルタップ本体は、ケーシングと、ケーシング内に取り付けられた制御アセンブリと、ケーシングに取り付けられ制御アセンブリに接続された少なくとも１セットの差込アセンブリを含み、前記制御アセンブリは、ケーシング内に取り付けられたＰＣＢボードと、ＰＣＢボードに取り付けられた第１無線接続モジュール及びマイクロプロセッサ、ケーシングに取り付けられＰＣＢボードに接続された表示パネルを含み、前記表示パネルには操作ボタンが設けられ、
前記ＰＣＢボードには継電器が取り付けられ、前記差込アセンブリは、第１差込端子と第２差込端子を含み、前記第１差込端子は継電器に接続され、前記マイクロプロセッサは継電器に接続され、前記移動端末には第２無線接続モジュール及び操作モジュールが設けられ、前記第２無線接続モジュールは、第１無線接続モジュールに無線接続するために使用される、ことを特徴とする同期制御電源テーブルタップ。
【請求項２】
前記ケーシングは、下ケーシングと上ケーシングを含み、前記下ケーシングと上ケーシングは互いにインターロックして配置キャビティを形成し、前記制御アセンブリ及び差込アセンブリの両者は、前記配置キャビティに取り付けられる、ことを特徴とする請求項１に記載の同期制御電源テーブルタップ。
【請求項３】
前記上ケーシングには、差込アセンブリに対応する差込孔が設けられる、ことを特徴とする請求項２前記的同期制御電源テーブルタップ。
【請求項４】
前記配置キャビティには、制御アセンブリに近い側に過電流保護装置が設けられ、前記過電流保護装置はＰＣＢボードに接続される、ことを特徴とする請求項３前記的同期制御電源テーブルタップ。
【請求項５】
前記配置キャビティには接続線が取り付けられ、前記接続線はＰＣＢボードに接続される、ことを特徴とする請求項４に記載の同期制御電源テーブルタップ。
【請求項６】
前記第２差込端子は接続線に接続される、ことを特徴とする請求項５に記載の同期制御電源テーブルタップ。
【請求項７】
数セットの前記差込アセンブリが設けられ、各セットの差込アセンブリに対応して継電器が接続される、ことを特徴とする請求項１に記載の同期制御電源テーブルタップ。
【請求項８】
前記ＰＣＢボードは、継電器の近くに指示ランプが取り付けられ、前記指示ランプは継電器に接続される、ことを特徴とする請求項１に記載の同期制御電源テーブルタップ。
【請求項９】
前記第１無線接続モジュール及び第２無線接続モジュールの両者は、ＷＩＦＩモジュール又はブルートゥース（登録商標）モジュールである、ことを特徴とする請求項１に記載の同期制御電源テーブルタップ。
【請求項１０】
前記移動端末は、携帯電話又はコンピューターであり、前記操作モジュールは、制御アセンブリを操作するために移動端末にインストールされたＡＰＰである、ことを特徴とする請求項１に記載の同期制御電源テーブルタップ。
【考案の詳細な説明】
【技術分野】
【０００１】
本考案は、スマートテーブルタップ技術の分野に関し、特に、同期制御電源テーブルタップに関する。
【背景技術】
【０００２】
プラグボードは、テーブルタップであり、一般に延長コードボードと呼ばれ、学名は配線ボードである。電源ストリップとは、電源コードとプラグを備えたポータブルマルチホールソケットを意味する。１つのソケットは複数の目的に使用でき、空間と配線が節約される。一般的に、室内で計画されているソケットのほとんどは壁や角にあり、その数は多くない。一方、電子装置の電源コードは一定の長さしかない。人々が電子装置を正常に動作させる場合、電源コードをソケットに差し込むことができるように、電子装置を壁に近い場所に移動する必要がある。しかしながら、電子産業の発展に伴い、人々はますます多くの電子装置（デスクトップコンピューター、液晶テレビ、扇風機など）を使用している。その結果、既存のソケットの数が不足することは避けられず、すべての電子装置を壁に近い場所に配置すると、ユーザーが室内空間の計画について心配するだけでなく、室内の配線不良の原因となる可能性が高い。従って、多くのコード付きソケットは、前述の問題を解決するように設計されている。
【０００３】
スマート家電の発展に伴い、テーブルタップもスマート家電の１つであり、一般的に、スマート家電には、遠隔制御のオン／オフの機能、及びタイミングなどの機能があるが、この方式は一般に移動端末でしか操作できず、テーブルタップ自体で操作できないため、移動端末が近くにない場合や指定の制御プログラムがインストールされていない場合、スマートテーブルタップを設定することができない。この方式では、テーブルタップの使用に欠陥が生じる。
【考案の概要】
【０００４】
上記の課題を解決するために、本考案は、制御アセンブリの表示パネル及び操作ボタンの操作、又は移動端末でのＡＰＰの操作によって制御することができ、両者の入力制御がマイクロプロセッサに直接送信され、マイクロプロセッサがＰＣＢボード上の継電器を制御することによって、差込アセンブリが電源オフと電源供給を制御するために継電器が使用され、全体的な操作が便利で、構造が簡単で信頼性がある同期制御電源テーブルタップを提供する。
【０００５】
本考案で採用される技術的解決手段は、同期制御電源テーブルタップである。この同期制御電源テーブルタップは、テーブルタップ本体と移動端末を含み、前記テーブルタップ本体は、ケーシングと、ケーシング内に取り付けられた制御アセンブリと、ケーシングに取り付けられ制御アセンブリに接続された少なくとも１セットの差込アセンブリを含み、前記制御アセンブリは、ケーシング内に取り付けられたＰＣＢボードと、ＰＣＢボードに取り付けられた第１無線接続モジュール及びマイクロプロセッサ、ケーシングに取り付けられＰＣＢボードに接続された表示パネルを含み、前記表示パネルには操作ボタンが設けられる。
【０００６】
上記の技術的解決手段の更なる改善は次のとおりである。前記ＰＣＢボードには継電器が取り付けられ、前記差込アセンブリは、第１差込端子と第２差込端子を含み、前記第１差込端子は継電器に接続され、前記マイクロプロセッサは継電器に接続され、前記移動端末には第２無線接続モジュール及び操作モジュールが設けられ、前記第２無線接続モジュールは、第１無線接続モジュールに無線接続される。
【０００７】
上記の技術的解決手段の更なる改善は次のとおりである。前記ケーシングは、下ケーシングと上ケーシングを含み、前記下ケーシングと上ケーシングは互いにインターロックして配置キャビティを形成し、前記制御アセンブリ及び差込アセンブリの両者は、前記配置キャビティに取り付けられる。
【０００８】
上記の技術的解決手段の更なる改善は次のとおりである。前記上ケーシングには、差込アセンブリに対応する差込孔が設けられる。
【０００９】
上記の技術的解決手段の更なる改善は次のとおりである。前記配置キャビティには、制御アセンブリに近い側に過電流保護装置が設けられ、前記過電流保護装置はＰＣＢボードに接続される。
【００１０】
上記の技術的解決手段の更なる改善は次のとおりである。前記配置キャビティには接続線が取り付けられ、前記接続線はＰＣＢボードに接続される。
【００１１】
上記の技術的解決手段の更なる改善は次のとおりである。前記第２差込端子は接続線に接続される。
【００１２】
上記の技術的解決手段の更なる改善は次のとおりである。数セットの前記差込アセンブリが設けられ、各セットの差込アセンブリに対応して継電器が接続される。
【００１３】
上記の技術的解決手段の更なる改善は次のとおりである。前記ＰＣＢボードは、継電器の近くに指示ランプが取り付けられ、前記指示ランプは継電器に接続される。
【００１４】
上記の技術的解決手段の更なる改善は次のとおりである。前記第１無線接続モジュール及び第２無線接続モジュールの両者は、ＷＩＦＩモジュール又はブルートゥース（登録商標）モジュールである。
【００１５】
上記の技術的解決手段の更なる改善は次のとおりである。前記移動端末は、携帯電話又はコンピューターであり、前記操作モジュールは、制御アセンブリを操作するために移動端末にインストールされたＡＰＰである。
【００１６】
本考案の有利な効果は以下のとおりである。
従来の電源タップと比較して、テーブルタップ本体と移動端末が協働し、使用時には制御アセンブリと移動端末が協働して、電源タップを制御することができる。制御アセンブリは、同期して操作することもできる。操作後に、電源テーブルタップを定時にオン／オフにするか又は直接オン／オフにすることができる。この方式の操作で、制御アセンブリの表示パネル及び操作ボタンの操作、又は移動端末でのＡＰＰの操作によって制御することができる。両者の入力制御は、マイクロプロセッサに直接送信され、マイクロプロセッサはＰＣＢボード上の継電器を制御することによって、継電器は、差込アセンブリが電源オフと電源供給を制御するために使用される。全体的な操作は便利で、構造は簡単で信頼性がある。また、移動端末は、第２無線接続モジュールがＰＣＢボードに取り付けられた第１無線接続モジュールと協働することによって接続を行い、その後、操作モジュールと協働して操作制御を行う。操作が便利であり、知能のレベルが高い。
【図面の簡単な説明】
【００１７】
【図１】本考案の同期制御電源テーブルタップの立体構造模式図である。
【図２】図１の同期制御電源テーブルタップの分解構造模式図である。
【図３】図１の同期制御電源テーブルタップの別の視角から見た分解構造模式図である。
【図４】図３のＡでの拡大模式図である。
【図５】本考案の同期制御電源テーブルタップの制御原理図である。
【考案を実施するための形態】
【００１８】
以下、添付の図面を参照しながら本考案をさらに説明する。
【００１９】
図１〜図５に示すように、同期制御電源テーブルタップは、テーブルタップ本体１００及び移動端末２００を含む。前記テーブルタップ本体１００は、ケーシング１１０と、ケーシング１１０内に取り付けられた制御アセンブリ１２０と、ケーシング１１０に取り付けられ制御アセンブリ１２０に接続された差込アセンブリ１３０を含む。前記制御アセンブリ１２０は、ケーシング１１０内に取り付けられたＰＣＢボード１２１と、ＰＣＢボード１２１に取り付けられた第１無線接続モジュール１２２及びマイクロプロセッサ１２３と、ケーシング１１０に取り付けられＰＣＢボード１２１に接続された表示パネル１２４を含む。前記表示パネル１２４には、操作ボタン１２５が設けられる。ＰＣＢボード１２１には継電器１２６が取り付けられる。前記差込アセンブリ１３０は、第１差込端子１３１と第２差込端子１３２を含む。前記第１差込端子１３１は継電器１２６に接続される。前記マイクロプロセッサ１２３は継電器１２６に接続される。前記移動端末２００には第２無線接続モジュール２１０及び操作モジュール２２０が設けられる。前記第２無線接続モジュール２１０は、第１無線接続モジュール１２２に接続するために使用される。
【００２０】
図２に示すように、ケーシング１１０は、下ケーシング１１１と上ケーシング１１２を含む。前記下ケーシング１１１と上ケーシング１１２は互いにインターロックして配置キャビティを形成する。前記制御アセンブリ１２０及び差込アセンブリ１３０の両者は、前記配置キャビティ内に取り付けられる。上下ケーシング１１１が互いにインターロックして形成された配置キャビティを使用することによって、制御アセンブリ１２０及び差込アセンブリ１３０を固定的に取り付けることができるので、構造の安定性を保証することができる。
【００２１】
上ケーシング１１２には、差込アセンブリ１３０に対応する差込孔１１３が設けられる。差込孔１１３は、電気送信のためにプラグを挿入し差込アセンブリ１３０に接続するために使用される。
【００２２】
配置キャビティには、制御アセンブリ１２０に近い側に過電流保護装置１１４が設けられる。前記過電流保護装置１１４はＰＣＢボード１２１に接続される。過電流保護装置１１４は、本考案で過電流保護を提供し、安全係数を向上させることができる。配置キャビティ内に接続線１１５が取り付けられる。前記接続線１１５は、ＰＣＢボード１２１に接続され、接続線１１５を介して商用電源に接続するために使用される。構造が簡単である。第２差込端子１３２は、接続線１１５に接続され、接続及び導電を便利にする。
【００２３】
数セットの差込アセンブリ１３０が設けられる。各セットの差込アセンブリ１３０に対応して継電器１２６が接続される。それにより、数セットの差込アセンブリ１３０の制御が容易になり、マルチインターフェース接続が実現される。ＰＣＢボード１２１は、継電器１２６の近くに指示ランプ１２７が取り付けられる。前記指示ランプ１２７は継電器１２６に接続される。指示ランプ１２７は、その位置での継電器１２６に接続され、導電がオンになるか否かを指示することができる。
【００２４】
第１無線接続モジュール１２２及び第２無線接続モジュール２１０の両者は、ＷＩＦＩモジュール又はブルートゥース（登録商標）モジュールである。一般的に、ＷＩＦＩ接続は、遠隔制御を実現するために使用される。
【００２５】
移動端末２００は、携帯電話、タブレット又はコンピューターなどの機器である。前記操作モジュール２２０は、操作制御アセンブリ１２０を操作するために移動端末２００にインストールされたＡＰＰであり、日常の携帯電話操作で実現することができる。操作が便利であり、実用性が強い。
【００２６】
本考案では、テーブルタップ本体１００と移動端末２００が協働し、使用時には制御アセンブリ１２０と移動端末２００が協働して、電源タップを制御することができる。制御アセンブリ１２０は、同期して操作することもできる。操作後に、電源テーブルタップを定時にオン／オフにするか又は直接オン／オフにすることができる。この方式の操作で、制御アセンブリ１２０の表示パネル１２４及び操作ボタン１２５の操作、又は移動端末２００でのＡＰＰの操作によって制御することができる。両者の入力制御は、マイクロプロセッサ１２３に直接送信され、マイクロプロセッサ１２３はＰＣＢボード１２１上の継電器１２６を制御することによって、継電器１２６は、差込アセンブリ１３０が電源オフと電源供給を制御するために使用される。全体的な操作は便利で、構造は簡単で信頼性がある。また、移動端末２００は、第２無線接続モジュール２１０がＰＣＢボード１２１に取り付けられた第１無線接続モジュール１２２と協働することによって接続を行い、その後、操作モジュール２２０と協働して操作制御を行う。操作が便利であり、知能のレベルが高い。具体的には、表示パネル１２４には、操作及び制御のためのチップ及び構造が設けられ、操作制御のための操作ボタンが組み合わされて、操作が便利である。
【００２７】
以上の実施例は本考案のいくつかの実施形態のみを詳細に具体的に示しているが、本考案の保護範囲を限定するものではないと理解すべきである。当業者にとって、本考案の創造的構想から逸脱しない前提で、いくつかの変形と改善を行うことができ、これらはすべて本考案の保護範囲に属するべきであると理解しなければならない。従って、本考案の保護範囲は、本考案の請求項に指定した内容を基準とする。
【符号の説明】
【００２８】
テーブルタップ本体１００、ケーシング１１０、下ケーシング１１１、上ケーシング１１２、差込孔１１３、電流保護装置１１４、接続線１１５、制御アセンブリ１２０、ＰＣＢボード１２１、第１無線接続モジュール１２２、マイクロプロセッサ１２３、表示パネル１２４、操作ボタン１２５、継電器１２６、指示ランプ１２７、差込アセンブリ１３０、移動端末２００、第２無線接続モジュール２１０、操作モジュール２２０
【図１】
0003231091.tif 000003
【図２】
0003231091.tif 000004
【図３】
0003231091.tif 000005
【図４】
0003231091.tif 000006
【図５】
0003231091.tif 000007